(57)【要約】      （修正有）【課題】きわめて感度に優れた軽量且つシンプルな釣用仕掛けを提供する。【解決手段】釣用仕掛けは、複数のポリエチレン繊維が編み込まれたマルチフィラメントからなる幹糸１１と、当該幹糸１１の長手方向に沿って所定の間隔で配置された複数のハリス保持具２０とを有する。ハリス保持具２０は、幹糸１１が挿通する貫通孔２２が形成された保持器２１と、保持器２１の貫通孔２２に幹糸１１と共に挿通されたモノフィラメントからなる添糸１２とを備える。添糸１２は、幹糸１１と共に結ばれることにより保持器２１の両側に一対の結び目１９Ａ、１９Ｂを形成している。当該結び目１９Ａ、１９Ｂは、保持器２１が幹糸１１の長手方向へ移動することを規制すべく保持器２１の近傍に配置されている。【選択図】図２
2015198608.tif 000002
【特許請求の範囲】
【請求項１】
複数のポリエチレン繊維が編み込まれたマルチフィラメントからなる幹糸と、
当該幹糸の長手方向に沿って所定の間隔で配置された複数のハリス保持具とを有し、
当該ハリス保持具は、
上記幹糸が挿通する貫通孔が形成された保持器と、
当該保持器の貫通孔に上記幹糸と共に挿通されたモノフィラメントからなる添糸とを備え、
当該添糸は、上記幹糸と共に結ばれることにより上記保持器の両側に一対の結び目を形成しており、当該結び目は、上記保持器が上記幹糸の長手方向へ移動することを規制すべく上記保持器の近傍に配置されている釣用仕掛け。
【請求項２】
複数のポリエチレン繊維が編み込まれたマルチフィラメントからなる幹糸と、
当該幹糸の長手方向に沿って所定の間隔で配置された複数のハリス保持具とを有し、
当該ハリス保持具は、
上記幹糸が挿通する貫通孔が形成された保持器と、
上記保持器が上記幹糸の長手方向へ移動することを規制すべく上記保持器の近傍において上記幹糸に固定された紫外線硬化樹脂からなる固定パイプと、を備える釣用仕掛け。
【請求項３】
複数のポリエチレン繊維が編み込まれたマルチフィラメントからなる幹糸と、
当該幹糸の長手方向に沿って所定の間隔で配置された複数のハリス保持具とを有し、
当該ハリス保持具は、
上記幹糸が挿通する貫通孔が形成された保持器と、
上記保持器が上記幹糸の長手方向へ移動することを規制すべく上記保持器の近傍に接着剤を介して上記幹糸に固着された集束パイプと、を備える釣用仕掛け。
【請求項４】
上記結び目は、八の字結びにより形成されている請求項１に記載の釣用仕掛け。
【請求項５】
上記ハリス保持具は、当該保持器の貫通孔に上記幹糸と共に挿通され、且つ上記固定パイプによって上記幹糸と束ねて固定されたモノフィラメントからなる添糸を備える請求項２に記載の釣用仕掛け。
【請求項６】
上記ハリス保持具は、当該保持器の貫通孔に上記幹糸と共に挿通され、且つ上記集束パイプによって上記幹糸と束ねられたモノフィラメントからなる添糸を備える請求項３に記載の釣用仕掛け。
【請求項７】
上記保持器は蓄光性を有する請求項１から６のいずれかに記載の釣用仕掛け。
【請求項８】
上記幹糸の端部に釣糸と連結するための連結具が設けられており、当該連結具に対して上記幹糸は、モノフィラメントからなる補強糸と共に連結されている請求項１から７のいずれかに記載の釣用仕掛け。
【発明の詳細な説明】
【技術分野】
【０００１】
この発明は、釣用仕掛け、特にカワハギ釣りに使用される仕掛けの構造に関するものである。
【背景技術】
【０００２】
図５は、従来の一般的なカワハギ釣用の仕掛けを表している。
【０００３】
同図が示すように、カワハギ釣用の仕掛け１は、いわゆる胴突形式の仕掛けである。この仕掛け１は、幹糸２を有し、この幹糸２に複数のハリス３及び針４が連結されている。また、仕掛け１の上部（水面側）に集寄５が設けられ、仕掛け１の下端にオモリ６が取り付けられる。仕掛け１の構造は、釣人の経験やカワハギの習性が考慮されたうえで決定される。カワハギはきわめて好奇心の強い魚であることが知られており、実釣において釣人がロッドを操作して水中で仕掛け１をカワハギにアピールするために集寄５が採用されている（非特許文献１及び特許文献１参照）。
【０００４】
カワハギ釣りでは、釣人が仕掛け１を魚に対してどれだけアピールすることができるかによって釣果が異なる。そのため、集寄５の表面は、光の反射率が高くなる加工や処理が施され、また、釣人は、仕掛け１を激しく上下に動かす操作をする。釣人が仕掛け１を上下に激しく操作するために、オモリ６は所要の重量のものが採用され、オモリの表面は、光の反射率が高くなる加工が施されることもある。
【０００５】
ところで、胴突形式の仕掛けが採用された場合、釣人はいわゆるアタリをライン及びロッドを伝わる振動で感知する。カワハギのアタリは一般に小さいため、仕掛け１には、小さな振動も確実に伝播させる性能（いわゆる「感度」）が普遍的に要求される。
【先行技術文献】
【特許文献】
【０００６】
【特許文献１】特開２００７−１５１４７７号公報
【非特許文献】
【０００７】
【非特許文献１】DAIWA FISHING TACKLE CATALOG 2014  P270〜P271
【発明の概要】
【発明が解決しようとする課題】
【０００８】
幹糸２やハリス３の外径が小さくなれば、潮流から受ける抵抗が小さくなるので、仕掛け１の感度が向上する。ただし、幹糸２の強度が低下すれば、大型の魚に対処できないという不都合は否めない。また、ハリス３は幹糸２に取り付けられるが、ハリス３が幹糸２に対して確実に固定されていなければ、実釣において仕掛け１の感度は低下する。
【０００９】
本発明はこのような背景のもとになされたものであって、胴突形式の仕掛けの構造を見直すことにより、きわめて感度に優れた軽量且つシンプルな釣用仕掛けを提供することである。
【課題を解決するための手段】
【００１０】
(1)  本発明に係る釣用仕掛けは、複数のポリエチレン繊維が編み込まれたマルチフィラメントからなる幹糸と、当該幹糸の長手方向に沿って所定の間隔で配置された複数のハリス保持具とを有する。当該ハリス保持具は、上記幹糸が挿通する貫通孔が形成された保持器と、当該保持器の貫通孔に上記幹糸と共に挿通されたモノフィラメントからなる添糸とを備える。当該添糸は、上記幹糸と共に結ばれることにより上記保持器の両側に一対の結び目を形成しており、当該結び目は、上記保持器が上記幹糸の長手方向へ移動することを規制すべく上記保持器の近傍に配置されている。
【００１１】
この構成によれば、ポリエチレン繊維が編み込まれたマルチフィラメント（通称「ＰＥライン」）の幹糸を採用している。ＰＥラインは弾性率が非常に高く、実釣において幹糸に引張力が作用してもほとんど伸びないうえに、引張強度も高い。したがって、幹糸の線径がモノフィラメントにより構成される場合に比べて細くすることができる。また、ＰＥラインは、吸水性がきわめて低く劣化しにくいうえにしなやかであり、仕掛けが保管される際にいわゆる巻き癖がつかない。さらに、ハリス保持具は保持器を介して幹糸に取り付けられるが、モノフィラメントからなる添糸が幹糸と共に保持器に挿通され、いわゆるダブルラインを構成して当該幹糸に結び込まれる。すなわち、当該幹糸に上記添糸と共に結ばれた結び目が確実に形成される。この結び目は、上記保持器の両側であって当該保持器の近傍に設けられるから、保持器は、幹糸を中心として回転することができるが、当該幹糸に沿って移動することが規制される。
【００１２】
(2)  また、本発明に係る釣用仕掛けは、複数のポリエチレン繊維が編み込まれたマルチフィラメントからなる幹糸と、当該幹糸の長手方向に沿って所定の間隔で配置された複数のハリス保持具とを有する。当該ハリス保持具は、上記幹糸が挿通する貫通孔が形成された保持器と、上記保持器が上記幹糸の長手方向へ移動することを規制すべく上記保持器の近傍において上記幹糸に固定された紫外線硬化樹脂からなる固定パイプとを備える。
【００１３】
この構成によれば、ポリエチレン繊維が編み込まれたマルチフィラメント（通称「ＰＥライン」）の幹糸を採用している。ＰＥラインは弾性率が非常に高く、実釣において幹糸に引張力が作用してもほとんど伸びないうえに、引張強度も高い。したがって、幹糸の線径がモノフィラメントにより構成される場合に比べて細くすることができる。また、ＰＥラインは、吸水性がきわめて低く劣化しにくいうえにしなやかであり、仕掛けが保管される際にいわゆる巻き癖がつかない。さらに、ハリス保持具は保持器を介して幹糸に取り付けられるが、保持器の両端において幹糸に固定パイプが固着される。この固定パイプは紫外線硬化樹脂からなるので、紫外線が固定パイプに照射されるだけで、簡単に固定パイプが幹糸に固定される。この固定パイプは、上記保持器の両側であって当該保持器の近傍に設けられるから、保持器は、幹糸を中心として回転することができるが、当該幹糸に沿って移動することが規制される。
【００１４】
(3)  さらに、本発明に係る釣用仕掛けは、複数のポリエチレン繊維が編み込まれたマルチフィラメントからなる幹糸と、当該幹糸の長手方向に沿って所定の間隔で配置された複数のハリス保持具とを有する。当該ハリス保持具は、上記幹糸が挿通する貫通孔が形成された保持器と、上記保持器が上記幹糸の長手方向へ移動することを規制すべく上記保持器の近傍に接着剤を介して上記幹糸に固着された集束パイプとを備える。
【００１５】
(4) 上記結び目は、八の字結びにより形成されているのが好ましい。
【００１６】
この構成では、上記結び目が簡単に形成されると共に、当該結び目が形成されることによる幹糸のダメージも少ない。
【００１７】
(5)  また、上記ハリス保持具は、当該保持器の貫通孔に上記幹糸と共に挿通され、且つ上記固定パイプによって上記幹糸と束ねて固定されたモノフィラメントからなる添糸を備えてもよい。
【００１８】
(6)  また、上記ハリス保持具は、当該保持器の貫通孔に上記幹糸と共に挿通され、且つ上記集束パイプによって上記幹糸と束ねられたモノフィラメントからなる添糸を備えてもよい。
【００１９】
(7) 上記保持器は蓄光性を有しているのが好ましい。
【００２０】
この構成では、保持器が集魚効果を発揮する。
【００２１】
(8) 上記幹糸の端部に釣糸と連結するための連結具が設けられていてもよい。その場合、当該連結具に対して上記幹糸は、モノフィラメントからなる補強糸と共に連結されているのが好ましい。
【００２２】
この構成では、細径の幹糸がモノフィラメントからなる補強糸によってダブルラインを構成するので、上記連結具に対して確実に結びつけられる。
【発明の効果】
【００２３】
この発明によれば、幹糸はほとんど伸びないので、当該仕掛けの感度が大幅に向上する。しかも、幹糸の線径がきわめて細くなるので、当該釣用仕掛けの流水抵抗が低下し、釣人は、実釣において仕掛けを自在に操作することができる。つまり、ターゲットに対して仕掛けを強くアピールすることができ、従来から仕掛けのアピールのために使用されていた集寄が不要となる。集寄が省略されることにより当該仕掛けの構造がシンプルになると共に自重が軽くなり、その結果、当該仕掛けの感度が一層向上する。さらに、ハリス保持具は、保持器を介して幹糸の所定位置に固定されるから、当該仕掛けの感度はなお一層向上すると共に、釣人は安心して仕掛けに激しいアクションをつけることができる。また、幹糸が撚り糸からなるので、ターゲットがカワハギ等の歯が鋭い魚であっても切断されにくいという利点がある。加えて、ＰＥラインは一般に水中での視認性に優れ、釣人は、実釣において仕掛けの位置を確認しやすいという利点もある。
【図面の簡単な説明】
【００２４】
【図１】図１は、本発明の一実施形態に係る釣用仕掛け１０が取り付けられた釣竿３０の模式図である。
【図２】図２は、幹糸１１に取り付けられたハリス保持具２０の拡大図である。
【図３】図３は、幹糸１１とサルカン１６Ａとの連結部分の拡大図である。
【図４】図４は、変形例に係るハリス保持具２０を示す図である。
【図５】図５は、従来の仕掛け１が取り付けられた釣竿の模式図である。
【発明を実施するための形態】
【００２５】
以下、本発明の好ましい実施形態が、適宜図面が参照されながら説明される。なお、本実施の形態は、本発明に係る釣用仕掛けの一態様にすぎず、本発明の要旨を変更しない範囲で実施態様が変更されてもよいことは言うまでもない。
【００２６】
この釣用仕掛け１０は、ターゲットをカワハギとする、いわゆる胴突形式の仕掛けである。釣用仕掛け１０は、図１に示されるように、釣竿３０のリール３１から繰り出された道糸３２（釣糸の一例）の先端に取り付けられる。また、釣用仕掛け１０は、図１〜図３に示されるように、幹糸１１と、添糸１２と、補強糸１３と、ハリス１４と、針１５と、ハリス保持具２０とを備える。また、釣用仕掛け１０の一端には、サルカン１６Ａを介して道糸３２が取り付けられている。さらに、釣用仕掛け１０の他端には、サルカン１６Ｂを介してオモリ１７が取り付けられている。
【００２７】
［幹糸１１］
幹糸１１は、図１に示されるように、釣用仕掛け１０の長手方向の全体にわたって延びている。幹糸１１の全長は、例えば、６０ｃｍ〜１２０ｃｍ程度に設定される。幹糸１１は、複数のポリエチレン繊維が編み込まれたマルチフィラメント構造の糸である。また、幹糸１１の両端には、サルカン１６Ａ、１６Ｂ（連結具の一例）が取り付けられている。さらに、幹糸１１には、その長手方向に沿って所定の間隔で複数のハリス保持具２０が取り付けられている。幹糸１１の長手方向におけるハリス保持具２０の取り付け間隔は、例えば、５ｃｍ〜２０ｃｍ程度に設定される。
【００２８】
［添糸１２］
添糸１２は、図２に示されるように、各ハリス保持具２０の取り付け部分において、幹糸１１に添えられている。すなわち、釣用仕掛け１０は、各ハリス保持具２０の取り付け部分において、ダブルライン構造となっている。添糸１２は、モノフィラメント構造の糸であり、例えばフロロカーボン製である。添糸１２は、各ハリス保持具２０の取り付け部分において、幹糸１１と平行に配置されている。また、幹糸１１及び添糸１２は、添糸１２の両端において共に結ばれており、一対の結び目１９Ａ、１９Ｂを形成している。結び方は特に限定されないが、例えば、八の字結び等、幹糸１１の長手方向において結び目１９Ａ、１９Ｂの位置が不動となる結び方が採用される。
【００２９】
［補強糸１３］
補強糸１３は、図３に示されるように、サルカン１６Ａとの連結部分において、幹糸１１に添えられている。図示は省略するが、幹糸１１とサルカン１６Ｂとの連結部分についても同様である。すなわち、釣用仕掛け１０は、サルカン１６Ａ、１６Ｂとの連結部分において、ダブルライン構造となっている。また、補強糸１３は、モノフィラメント構造の糸であり、例えばフロロカーボン製である。補強糸１３は、幹糸１１と共にサルカン１６Ａ、１６Ｂに結びつけられている。サルカン１６Ａ、１６Ｂに対する幹糸１１及び補強糸１３の結び方は特に限定されないが、例えば、ユニノット、クリンチノット等が採用される。
【００３０】
［ハリス保持具２０］
ハリス保持具２０は、図２に示されるように、前述した添糸１２と、保持器２１と、係止具２３とを有する。ハリス保持具２０は、針１５が取り付けられたハリス１４を幹糸１１に対して保持するものである。図１の例では、幹糸１１に３つのハリス保持具２０が取り付けられているが、ハリス保持具２０の数はこれに限定されない。
【００３１】
保持器２１は、概ね球状の外観を呈しており、貫通孔２２が形成されている。貫通孔２２には、幹糸１１及び添糸１２が挿通される。一対の結び目１９Ａ、１９Ｂは、幹糸１１の長手方向において、保持器２１の両端に設けられている。換言すれば、保持器２１は、幹糸１１の長手方向において、一対の結び目１９Ａ、１９Ｂの間に配置されている。保持器２１は、集魚効果を得るために蓄光性を有してもよい。具体的には、蓄光性の材料を樹脂等の基材に添加して保持器２１を形成すればよい。蓄光性の材料としては、例えば、硫化亜鉛 (ＺｎＳ系) 、或いはアルミン酸ストロンチウム (ＳｒＡｌ２Ｏ４系) 等を採用することができる。
【００３２】
貫通孔２２の直径は、幹糸１１及び添糸１２の直径の和より大きく、結び目１９Ａ、１９Ｂの外径寸法より小さい。すなわち、保持器２１は、貫通孔２２に挿通された幹糸１１の周りを回転可能であり、且つ一対の結び目１９Ａ，１９Ｂの間において幹糸１１の長手方向に移動可能に構成されている。一方、保持器２１は、結び目１９Ａ、１９Ｂを乗り越えて幹糸１１の長手方向に移動することができない。すなわち、一対の結び目１９Ａ、１９Ｂは、保持器２１が幹糸１１の長手方向に移動することを規制している。なお、一対の結び目１９Ａ，１９Ｂの間隔は特に限定されないが、幹糸１１に対する保持器２１の回転を阻害しない範囲（例えば、３ｃｍ〜５ｃｍ程度）において、保持器２１の近傍に設けるのが望ましい。
【００３３】
係止具２３は、貫通孔２２の延びる方向（すなわち、幹糸１１の長手方向）と交差する方向に保持器２１から突出している。係止具２３は、例えば金属等で形成された線材を折り曲げることによって形成されている。具体的には、係止具２３は、線材を二つ折りした際に当該線材の一対の端部が揃う側（すなわち、屈曲位置と反対側）において、保持器２１に固定されている。また、係止具２３は、二つ折りされた線材の一方と他方との間隔が狭い幅狭部２４と、幅狭部２４より間隔の広い幅広部２５とを有する。係止具２３には、ハリス１４が係止される。
【００３４】
ハリス１４は、一端に針１５が取り付けられており、他端に結び目１４Ａが形成されている。ハリス１４は、幅広部２５を通じて係止具２３に挿入され、幅狭部２４に嵌め込まれることによって、係止具２３に保持される。また、ハリス１４は、幅狭部２４から幅広部２５にスライドされることによって、係止具２３から取り外される。ハリス１４の長さは、例えば、３ｃｍ〜１０ｃｍ程度に設定される。ハリス１４を構成する材料は、例えば、フロロカーボンである。オモリ１７は、例えば、３０号〜４０号程度のものが選択される。オモリ１７の表面は、集魚効果を発揮させるために、例えば蛍光カラーで塗装されていてもよい。
【００３５】
［本実施形態の作用効果］
上記の実施形態において、ポリエチレン繊維が編み込まれたマルチフィラメント構造の幹糸１１は、例えばフロロカーボン製の従来の幹糸と比較して弾性率がきわめて高い。その結果、実釣において幹糸１１に引張力が作用してもほとんど伸びないので、当該釣用仕掛け１０の感度が大幅に向上する。
【００３６】
また、上記の実施形態における幹糸１１は、従来の幹糸と比較して引張強度が高いので、幹糸１１の線径を従来と比較してきわめて細くできる。その結果、当該釣用仕掛け１０の流水抵抗が低下するので、釣人は、実釣において釣用仕掛け１０を自在に操作することができる。つまり、ターゲットに対して釣用仕掛け１０を強くアピールすることができ、従来から仕掛けのアピールのために使用されていた集寄が不要となる。さらに、集寄が省略されることにより当該釣用仕掛け１０の構造がシンプルになると共に自重が軽くなるので、当該釣用仕掛け１０の感度が一層向上する。
【００３７】
また、幹糸１１が撚り糸からなるので、ターゲットがカワハギ等の歯が鋭い魚であっても切断されにくいという利点がある。また、ポリエチレン製の幹糸１１は、従来の幹糸と比較して吸水性がきわめて低く劣化しにくいうえにしなやかである。その結果、釣用仕掛け１０が保管される際にいわゆる巻き癖がつきにくい。さらに、ポリエチレン製の幹糸１１は一般に水中での視認性に優れるので、釣人は、実釣において釣用仕掛け１０の位置を確認しやすいという利点もある。
【００３８】
また、ハリス保持具２０は、保持器２１を介して幹糸１１の所定位置に固定されるから、当該釣用仕掛け１０の感度がなお一層向上すると共に、釣人は安心して釣用仕掛け１０に激しいアクションをつけることができる。なお、上記の実施形態では、モノフィラメントからなる添糸１２が幹糸１１と共に保持器２１に挿通され、いわゆるダブルラインを構成した状態で結び目１９Ａ、１９Ｂが形成される。その結果、貫通孔２２の直径より大きな結び目１９Ａ、１９Ｂを容易に形成することができるので、幹糸１１に対する保持器２１の回転を許容し、且つ幹糸１１の長手方向への保持器２１の移動を規制することができる。
【００３９】
また、八の字結びによって結び目１９Ａ、１９Ｂを形成することにより、結び目１９Ａ、１９Ｂが簡単に形成されると共に、当該結び目１９Ａ，１９Ｂが形成されることによる幹糸１１のダメージも少なくなる。さらに、細径の幹糸１１及びモノフィラメントからなる補強糸１３に構成されたダブルラインをサルカン１６Ａ、１６Ｂに結びつけるので、釣用仕掛け１０をサルカン１６Ａ、１６Ｂに対して確実に結びつけることができる。
【００４０】
［変形例］
次に、図４を参照して、幹糸１１に対するハリス保持具２０の取り付け構造の変形例１、２を説明する。なお、上記の実施形態と共通の構成要素には同一の参照番号を付して詳しい説明を省略し、相違点を中心に説明する。変形例１、２は、添糸１２を幹糸１１に取り付ける方法が上記の実施形態と相違する。
【００４１】
［変形例１］
変形例１における幹糸１１及び添糸１２は、図４（Ａ）に示されるように、固定パイプ４１、４２によって束ねて固定される。具体的には、固定パイプ４１は、添糸１２の一端側において、幹糸１１及び添糸１２を束ねて固定する。また、固定パイプ４１は、添糸１２の他端側において、幹糸１１及び添糸１２を束ねて固定する。すなわち、固定パイプ４１、４２は、幹糸１１の長手方向において、保持器２１の両端に設けられている。固定パイプ４１、４２は、上記の実施形態と同様に、幹糸１１に対する保持器２１の回転を阻害しない範囲で、保持器２１の近傍に設けられるのが望ましい。
【００４２】
固定パイプ４１、４２は、紫外線硬化樹脂で構成されている。すなわち、幹糸１１及び添糸１２が挿通された固定パイプ４１、４２に紫外線を照射することによって、幹糸１１及び添糸１２と固定パイプ４１、４２とが固定される。また、幹糸１１及び添糸１２に固定された固定パイプ４１、４２の外径寸法は、保持器２１の貫通孔２２の直径より大きい。すなわち、固定パイプ４１、４２は、幹糸１１の長手方向における保持器２１の移動を規制する。変形例１によれば、上記の実施形態の作用効果に加えて、紫外線を照射するだけで固定パイプ４１、４２を幹糸１１及び添糸１２に簡単に固定することができる。なお、変形例１において、添糸１２は省略することができる。
【００４３】
［変形例２］
次に、変形例２における幹糸１１及び添糸１２は、図４（Ｂ）に示されるように、集束パイプ４３、４４によって束ねられている。集束パイプ４３は、添糸１２の一端側において、幹糸１１及び添糸１２を束ねる。また、集束パイプ４４は、添糸１２の他端側において、幹糸１１及び添糸１２を束ねる。すなわち、集束パイプ４３、４４は、幹糸１１の長手方向において、保持器２１の両端に設けられている。集束パイプ４３、４４は、上記の実施形態と同様に、幹糸１１に対する保持器２１の回転を阻害しない範囲で、保持器２１の近傍に設けられるのが望ましい。
【００４４】
集束パイプ４３、４４は、例えば、ビニール製である。集束パイプ４３、４４は、接着剤４５、４６によって幹糸１１及び添糸１２に固着される。幹糸１１及び添糸１２に固着された集束パイプ４３、４４及び接着剤４５、４６の外径寸法は、保持器２１の貫通孔２２の直径より大きい。すなわち、接着剤４５、４６で幹糸１１及び添糸１２に固着された集束パイプ４３、４４は、幹糸１１の長手方向における保持器２１の移動を規制する。変形例２の構成によっても、上記の実施形態の作用効果を得ることができる。なお、変形例２において、添糸１２は省略することができる。
【符号の説明】
【００４５】
１０・・・釣用仕掛け
１１・・・幹糸
１２・・・添糸
１３・・・補強糸
１６Ａ，１６Ｂ・・・サルカン
１９Ａ，１９Ｂ・・・結び目
２０・・・ハリス保持具
２１・・・保持器
２２・・・貫通孔
３２・・・道糸
４１，４２・・・固定パイプ
４３，４４・・・集束パイプ
４５，４６・・・接着剤
【図１】
2015198608.tif 000003
【図２】
2015198608.tif 000004
【図３】
2015198608.tif 000005
【図４】
2015198608.tif 000006
【図５】
2015198608.tif 000007